【手続補正書】
【提出日】平成19年1月22日(2007.1.22)
【手続補正１】
【補正対象書類名】明細書
【補正対象項目名】特許請求の範囲
【補正方法】変更
【補正の内容】
【特許請求の範囲】
【請求項１】  書き込み動作と読み出し動作を独立かつ非同期に実行可能なメモリと、
主走査同期信号にもとづき第１の同期信号を発生する第１同期信号発生手段と、
前記メモリに入力される各々異なる書き込みクロックの周波数と読み出しクロックの周波数とに応じて前記第１の同期信号から第２の同期信号を発生する第２同期信号発生手段と、
前記書き込みクロックに基づく前記メモリへの書き込み動作を許可する信号を発生する書き込み許可信号発生手段と、
前記読み出しクロックに基づく前記メモリからの読み出し動作を許可する信号を発生する読み出し許可信号発生手段と、
前記書き込み許可信号発生手段と前記読み出し許可信号発生手段は前記第２の同期信号に基づき信号を発生することを特徴とする画像処理システム。
【請求項２】  前記メモリはＦＩＦＯの動作をするメモリであり、書き込みアドレスカウンタと、読み出しアドレスカウンタと、前記書き込みアドレスカウンタをリセットする書き込みアドレスリセット信号を前記第２の同期信号に基づいて発生する書き込みアドレスリセット信号発生手段と、前記読み出しアドレスカウンタをリセットする読み出しアドレスリセット信号を前記第２の同期信号に基づいて発生する読み出しアドレスリセット信号発生手段とを備えたこと特徴とする請求項１記載の画像処理システム。
【請求項３】  前記書き込み許可信号発生手段は、前記第２の同期信号をトリガ信号とし、前記書き込みクロックに基づきカウントアップする書き込み許可調整カウンタを有し、前記書き込み許可調整カウンタが書き込み許可カウンタ値に到達したことに応じて書き込み許可信号を発生することを特徴とする請求項１記載の画像処理システム。
【請求項４】  前記読み出し許可信号発生手段は、前記第２同期信号をトリガ信号とし、前記読み出しクロックに基づきカウントアップする読み出し許可調整カウンタを有し、前記読み出し許可調整カウンタが読み出し許可カウンタ値に到達したことに応じて読み出し許可信号を発生することを特徴とする請求項１記載の画像処理システム。
【請求項５】  前記書き込み許可カウンタ値は、前記画像処理システム内のバスを介して第１のレジスタに設定することが可能な請求項３記載の画像処理システム。
【請求項６】  前記読み出し許可カウンタ値は、前記画像処理システム内のバスを介して第２のレジスタに設定することが可能な請求項４記載の画像処理システム。
【請求項７】  書き込み動作と読み出し動作を独立かつ非同期に実行可能な第一と第二のメモリと、
主走査同期信号にもとづき第１の同期信号を発生する第１同期信号発生手段と、
前記第１の同期信号から第２の同期信号を発生する第２同期信号発生手段と、
前記第一のメモリに入力される第一の書き込みクロックに基づく前記第一のメモリへの書き込み動作を許可する信号を発生する第一書き込み許可信号発生手段と、
前記第ニのメモリに入力される第ニの書き込みクロックに基づく前記第ニのメモリへの書き込み動作を許可する信号を発生する第ニ書き込み許可信号発生手段と、
前記読み出しクロックに基づく前記第一のメモリと前記第二のメモリからの読み出し動作を許可する信号を発生する読み出し許可信号発生手段と、
前記第一の書き込み許可信号発生手段と前記第ニの書き込み許可信号発生手段と前記読み出し許可信号発生手段は前記第２の同期信号に基づき信号を発生することを特徴とする画像処理システム。
【請求項８】  前記第一と第二のメモリはＦＩＦＯの動作をするメモリであり、前記第一と第二のメモリの各々は、書き込みアドレスカウンタと、読み出しアドレスカウンタと、前記書き込みアドレスカウンタをリセットする書き込みアドレスリセット信号を前記第２の同期信号に基づいて発生する書き込みアドレスリセット信号発生手段と、前記読み出しアドレスカウンタをリセットする読み出しアドレスリセット信号を前記第２の同期信号に基づいて発生する読み出しアドレスリセット信号発生手段とを備えたこと特徴とする請求項７記載の画像処理システム。
【請求項９】  前記第一と前記第二書き込み許可信号発生手段は、前記第２の同期信号をトリガ信号とし、前記書き込みクロックに基づきカウントアップする書き込み許可調整カウンタを各々有し、前記書き込み許可調整カウンタが書き込み許可カウンタ値に到達したことに応じて書き込み許可信号を各々発生することを特徴とする請求項７記載の画像処理システム。
【請求項１０】  前記読み出し許可信号発生手段は、前記第２の同期信号をトリガ信号とし、前記読み出しクロックに基づきカウントアップする読み出し許可調整カウンタを有し、前記読み出し許可調整カウンタが読み出し許可カウンタ値に到達したことに応じて読み出し許可信号を発生することを特徴とする請求項７記載の画像処理システム。
【請求項１１】  前記書き込み許可カウンタ値は、前記画像処理システム内のバスを介して第１のレジスタに設定することが可能な請求項９記載の画像処理システム。
【請求項１２】  前記読み出し許可カウンタ値は、前記画像処理システム内のバスを介して第２のレジスタに設定することが可能な請求項１０記載の画像処理システム。
【手続補正２】
【補正対象書類名】明細書
【補正対象項目名】００１４
【補正方法】変更
【補正の内容】
【００１４】
【課題を解決するための手段】
上記目的を達成するために、本発明は、書き込み動作と読み出し動作を独立かつ非同期に実行可能なメモリと、主走査同期信号にもとづき第１の同期信号を発生する第１同期信号発生手段と、前記メモリに入力される各々異なる書き込みクロックの周波数と読み出しクロックの周波数とに応じて前記第１の同期信号から第２の同期信号を発生する第２同期信号発生手段と、前記書き込みクロックに基づく前記メモリへの書き込み動作を許可する信号を発生する書き込み許可信号発生手段と、前記読み出しクロックに基づく前記メモリからの読み出し動作を許可する信号を発生する読み出し許可信号発生手段と、前記書き込み許可信号発生手段と前記読み出し許可信号発生手段は前記第２の同期信号に基づき信号を発生することを特徴とするものである。
【手続補正３】
【補正対象書類名】明細書
【補正対象項目名】００１５
【補正方法】変更
【補正の内容】
【００１５】
また本発明は、書き込み動作と読み出し動作を独立かつ非同期に実行可能な第一と第二のメモリと、主走査同期信号にもとづき第１の同期信号を発生する第１同期信号発生手段と、前記第１の同期信号から第２の同期信号を発生する第２同期信号発生手段と、前記第一のメモリに入力される第一の書き込みクロックに基づく前記第一のメモリへの書き込み動作を許可する信号を発生する第一書き込み許可信号発生手段と、前記第ニのメモリに入力される第ニの書き込みクロックに基づく前記第ニのメモリへの書き込み動作を許可する信号を発生する第ニ書き込み許可信号発生手段と、前記読み出しクロックに基づく前記第一のメモリと前記第二のメモリからの読み出し動作を許可する信号を発生する読み出し許可信号発生手段と、前記第一の書き込み許可信号発生手段と前記第ニの書き込み許可信号発生手段と前記読み出し許可信号発生手段は前記第２の同期信号に基づき信号を発生することを特徴とするものである。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】